(57)【要約】      （修正有）【課題】簡易な構成のページめくり装置を提供する。【解決手段】台の上で開いた状態の本５０のページ５５を横断するように配置された帯状で透明なフレキシブルフィルム３１と、本５０のページを搬送するロッド２５を、フレキシブルフィルム３１よりも本５０に近い位置で台に沿って移動する移動装置を兼ねるヘッド２０とを有するページめくり装置１０である。透明なページ押さえを簡易な構成で提供できるので、ページ５５を効率よく押さえることができる。また、ヘッド２０は、搬送体であるロッド２５を、ロッド２５が搬送するページ５５の一部がフレキシブルフィルム３１に接する状態で移動することにより重ね送りを抑制できる。【選択図】図２
2017011647.tif 000002
【特許請求の範囲】
【請求項１】
台の上で開いた状態の本のページの少なくとも一部を横断するように配置された帯状で透明なフレキシブルフィルムと、
前記本のページを搬送する搬送体を、前記フレキシブルフィルムよりも前記本に近い位置で前記台に沿って移動する移動装置とを有するページめくり装置。
【請求項２】
請求項１において、
前記移動装置は、前記搬送体を、前記搬送体が搬送するページの一部が前記フレキシブルフィルムに接する状態で移動する、ページめくり装置。
【請求項３】
請求項１または２において、
前記フレキシブルフィルムの少なくとも一部を、前記台に対して近づけた第１の位置と、前記第１の位置に対し前記台から離れた第２の位置とに動かす上下装置を有し、
前記移動装置は、前記第２の位置の前記フレキシブルフィルムに対して前記本に近い位置で前記搬送体を移動する、ページめくり装置。
【請求項４】
請求項３において、
前記上下装置は、前記フレキシブルフィルムの前記本のページを横断する箇所を含む部分を一体で前記第１の位置と前記第２の位置とに移動するユニットを含む、ページめくり装置。
【請求項５】
請求項３において、
前記上下装置は、前記フレキシブルフィルムの前記本のページを横断する箇所の一部のみを前記第１の位置と前記第２の位置とに移動するユニットを含む、ページめくり装置。
【請求項６】
請求項４または５において、
前記第２の位置は、前記台から前記本のページの幅の１／４から３／４程度離れた位置である、ページめくり装置。
【請求項７】
請求項１ないし６のいずれかにおいて、
前記フレキシブルフィルムは、前記本の左右のページを横断するように配置されている、ページめくり装置。
【請求項８】
請求項１ないし７のいずれかにおいて、
前記フレキシブルフィルムの張力を制御する弾性体を有する、ページめくり装置。
【請求項９】
請求項１ないし８のいずれかに記載のページめくり装置と、
前記ページめくり装置にセットされた本の紙面をスキャンするスキャナとを有する装置。
【請求項１０】
ページめくり装置を用いてページをめくる方法であって、
前記ページめくり装置は、台の上で開いた状態の本のページの少なくとも一部を横断するように配置された帯状で透明なフレキシブルフィルムと、前記本のページを搬送する搬送体とを含み、
当該方法は、
前記フレキシブルフィルムよりも前記本に近い位置で前記台に沿って、前記搬送体を移動することを有する、方法。
【請求項１１】
請求項１０において、
前記搬送体を移動することは、前記搬送体を、前記搬送体が搬送するページの一部が前記フレキシブルフィルムに接する状態で移動することを含む、方法。
【請求項１２】
請求項１０または１１において、
前記フレキシブルフィルムの少なくとも一部を、前記台に対して近づけた第１の位置から前記第１の位置に対し前記台から離れた第２の位置を経て前記第１の位置に戻すことをさらに有し、
前記搬送体を移動することは、
前記第２の位置の前記フレキシブルフィルムに対して前記本に近い位置で前記搬送体を移動することを含む、方法。
【発明の詳細な説明】
【技術分野】
【０００１】
本発明は、本（冊子）のページをめくる装置に関するものである。
【背景技術】
【０００２】
特許文献１には原稿を１枚づつ確実にめくれ、確実に読み取れる読取装置が開示されている。この読取装置は、原稿を、原稿面を上に向けて冊子の状態で載置する原稿載台と、原稿載台の上方に原稿を読み取るべく配設され、焦点深度調整機構を有するイメージスキャナと、原稿載台とイメージスキャナを接離するように相対移動させる上下動アームを備える。エアチューブの先端に吸引パッドを設けてなり、原稿載台上の原稿とイメージスキャナが離間したときに、原稿の上面を吸着してページめくり方向に回動するページめくり器と、エアチューブの先端に吸引パッドを設けてなり、ページめくり器が少なくとも１枚の原稿を吸着した状態で所定の回動位置にあるときに、上記原稿の下面に接し、余分な原稿を吸着してページ戻し方向に回動する重ねめくり防止器を備える。
【先行技術文献】
【特許文献】
【０００３】
【特許文献１】特開平７−６６９４３号公報
【発明の概要】
【発明が解決しようとする課題】
【０００４】
ページめくり装置において、ページを押えておく機構は重要である。
【課題を解決するための手段】
【０００５】
本発明の一態様は、台の上で開いた状態の本のページの少なくとも一部を横断するように配置された帯状で透明なフレキシブルフィルムと、本のページを搬送する搬送体を、フレキシブルフィルムよりも本に近い位置で台に沿って移動する移動装置とを有するページめくり装置である。透明なフレキシブルフィルムであれば、本のページの記載内容が透かして読めるので、本を読んだり、スキャンする際に障害とならない。したがって、透明なフレキシブルフィルムであれば、本の記載範囲に関わらず、本のページの少なくとも一部を横断するように配置でき、ページを効率的に抑えることができる。さらに、本のページを搬送する搬送体を、移動装置により、フレキシブルフィルムよりも本に近い位置で台に沿って移動することにより、透明なフレキシブルフィルムが本のページの上方に存在した状態でページをめくることができる。
【０００６】
さらに、移動装置は、搬送体を、搬送体が搬送するページの一部がフレキシブルフィルムに接する状態で移動することが望ましい。ページをめくる目的のページ以外のページが完全に自由な状態に置かれると目的のページとともに動いてしまう可能性があり、また、めくったページが元の状態（めくる前の状態）に復元してしまう可能性がある。ページの一部が接触するようにフレキシブルフィルムを配置することにより、このような事態の発生を予防できる。
【０００７】
ページめくり装置は、フレキシブルフィルムの少なくとも一部を、台に対して近づけた第１の位置と、第１の位置に対し台から離れた第２の位置とに動かす上下装置を有していてもよい。移動装置は、第２の位置のフレキシブルフィルムに対して本に近い位置で搬送体を移動することができる。第１の位置では、フレキシブルフィルムにより、より確実にページを押えることができる。第２の位置では、ページめくりの際のフレキシブルフィルムの抵抗を適当な範囲に設定できる。
【０００８】
上下装置は、フレキシブルフィルムの本のページを横断する箇所を含む部分を一体で第１の位置と第２の位置とに移動するユニットを含んでいてもよい。上下装置は、フレキシブルフィルムの本のページを横断する箇所の一部のみを第１の位置と第２の位置とに移動するユニットを含んでいてもよい。
【０００９】
第２の位置は、台から本のページの幅の１／４から３／４程度離れた位置であってもよい。第２の位置は、台から本のページの幅の１／３から２／３程度離れた位置であってもよく、第２の位置は、台から本のページの幅の１／２程度離れた位置であってもよい。搬送するページの一部がフレキシブルフィルムに確実に接し、適度な抵抗が得られるので、重ねめくりを抑制できる。
【００１０】
フレキシブルフィルムは、開いた左右のページのコーナーを横断するように配置してもよい。また、フレキシブルフィルムを、本の左右のページを横断するように配置してもよく、接触長を確保できるのでより確実にページを押えることができる。
【００１１】
ページめくり装置は、フレキシブルフィルムの張力を制御する弾性体を有していてもよい。ページがめくられることによる、本の左右の厚みの変化に対応でき、左右のページを押えるのに適した張力が得られる。
【００１２】
本発明の他の態様の１つは、上記のページめくり装置と、ページめくり装置にセットされた本の紙面をスキャンするスキャナとを有する装置（読み取り装置、リーダー）である。
【００１３】
本発明の他の態様の１つは、ページめくり装置を用いてページをめくる方法である。ページめくり装置は、台の上で開いた状態の本のページの少なくとも一部を横断するように配置された帯状で透明なフレキシブルフィルムと、本のページを搬送する搬送体とを含みむ。ページをめくる方法は、フレキシブルフィルムよりも本に近い位置で台に沿って、搬送体を移動することを有する。搬送体を移動することは、搬送体を、搬送体が搬送するページの一部がフレキシブルフィルムに接する状態で移動することを含む。重ねめくりを抑制できる。
【００１４】
ページをめくる方法は、フレキシブルフィルムの少なくとも一部を、台に対して近づけた第１の位置から、第１の位置に対し台から離れた第２の位置を経て第１の位置に戻すことをさらに有していてもよい。搬送体を移動することは、第２の位置のフレキシブルフィルムに対して本に近い位置で搬送体を移動することを含んでもよい。
【図面の簡単な説明】
【００１５】
【図１】読み取り装置の概要を示す斜視図。
【図２】読み取り装置に本をセットした状態を示す斜視図。
【図３】読み取り装置の正面図（前方から見た図）。
【図４】読み取り装置に本をセットした状態を示す正面図。
【図５】ヘッドが左側にいる状態の平面図。
【図６】ヘッドが左側にいる状態の正面図。
【図７】ヘッドが左から右に移動を開始した状態の正面図。
【図８】ヘッドが右側にいる状態の正面図。
【図９】ヘッドが右側でページを分離する様子を、装置の右側を切り出して示す図であり、（ａ）は吸引を開始した正面図、（ｂ）は吸引を開始した平面図、（ｃ）はページを分離した正面図、（ｄ）はロッドを分離したページの下に入れた正面図、（ｅ）はロッドをページの下に入れた平面図。
【図１０】ヘッドが右から左に移動を開始した状態の正面図。
【図１１】ヘッドにより移動するロッドがページを搬送している状態の正面図。
【図１２】ヘッドが左側に移動した状態の正面図。
【図１３】ページめくり装置の動作を示すフローチャート。
【図１４】異なるサイズの本をセットした状態の平面図。
【図１５】異なるサイズの本をセットした状態の正面図。
【図１６】異なるページめくり装置を示す斜視図。
【図１７】図１６に示す装置の正面図。
【図１８】ヘッドが移動中の図１７に示す装置の正面図。
【発明を実施するための形態】
【００１６】
図１に、ページめくり装置を備えた本（冊子）の読み取り装置（リーダ）の概要を示している。図２に、読み取り装置１に本５０をセットした状態を示している。また、図３に、読み取り装置１を正面から見た様子を示し、図４に読取装置１に本５０をセットした状態を正面から見た様子を示している。
【００１７】
この読み取り装置１は、セットされた本（冊子）５０のページを自動的にめくるページめくり装置１０と、ページめくり装置１０にセットされた本５０の紙面５１を読み取るスキャナ６０とを含む。このスキャナ６０は紙面５１から離れた位置で紙面（原稿）を読み取ることができる非接触タイプであるが、スキャナは接触タイプであってもよい。
【００１８】
ページめくり装置１０は、本５０の複数のページ５５を平ら（水平）に開いた状態で搭載する台１２と、ページ５５をめくって（分離して）搬送するヘッド２０と、本５０のページ５５を横断するように配置された帯状で透明なフレキシブルフィルム（透明テープ、透明フィルム）３１を含むページ押さえ３０と、ヘッド２０を台１２に沿って移動する移動機構（移動装置）４０と、これらの装置および機構を制御する制御ユニット（制御ボード）４５とを含む。このページめくり装置１０においては、台１２に本５０の縦方向の一方の端を載せ、他方の端を保持台１９に載せて本５０を水平に保持している。
【００１９】
ヘッド２０は、薄型ファン２１ａを内蔵した吸引パネル２１と、吸引パネル２１を上下に動かすレバー２２と、レバー２２を駆動する昇降用モータ２３と、搬送用のロッド（ページめくり棒、搬送体）２５と、ロッド２５を旋回する回転モータ２６とを含む。したがって、ヘッド２０は、搬送用のロッド２５の移動装置としての機能を含む。ヘッド２０は、さらに、透明テープ３１の台１２からの距離（位置）を変える上下機構（上下装置）２７を含む。上下機構２７は、透明テープ３１を台１２から離れた位置（遠ざけた位置、第２の位置）Ｐ２に移動する引き上げローラ２８と、透明テープ３１を台１２に近づけた位置（第１の位置）Ｐ１に押し付ける押し付けローラ２９とを含む。なお、図１〜図４においては、本５０を台１２にセットするために透明テープ３１を台１２から離れた第２の位置Ｐ２にセットしており、本５０のページ５５を押さえる第１の位置Ｐ１については後述する。
【００２０】
ヘッド２０を台１２に沿って左右に移動する移動機構４０は、ベルト４２を介してヘッド２０を移動する駆動モータ４１を含む。制御ボード４５は、ＣＰＵおよびメモリを含む制御要素（不図示）を含み、メモリに格納されたプログラム（プログラム製品）により、このページめくり装置１０の各動作を制御する。
【００２１】
ページめくり装置１０は、ページ押さえ３０となる透明テープ３１を本５０の見開きのページ５５の両側の紙面５１を横断するように支持する左右の固定ローラ３３および３４と、左側の固定ローラ３３の周りにほぼ９０度旋回するように取り付けられた可動ローラ３５と、連結シャフト３６を介して可動ローラ３５を旋回する駆動モータ３７とを含む。可動ローラ３５を固定ローラ３３に対して垂直な位置にすることにより透明テープ３１を台１２から離れた位置Ｐ２にセットでき、台１２に本５０をセットするときに使用できる。可動ローラ３５を固定ローラ３３に対して水平な位置にすることにより透明テープ３１を台１２に近づいた位置Ｐ１にセットでき、本５０のページ５５（ページ５５の紙面５１）を押さえるときに使用できる。
【００２２】
ページめくり装置１０は、さらに、左右の固定ローラ３３および３４に対して透明テープ３１を引っ張るようにそれぞれ配置されたコイルバネ３８を含む。コイルバネ３８は、透明テープ３１の張力を制御する弾性体の一例であり、他のタイプのバネであってもよく、ゴムなどの他の弾性体であってもよい。
【００２３】
図５に、ページめくり装置１０に本５０をセットした状態で、ヘッド２０を反対側（左側）に移動して透明テープ３１でページ５５を押さえた状態を上方から見た図により示している。また、図６に、透明テープ３１でページ５５を押さえた状態を前方から見た図により示している。図１〜図４は、ヘッド２０を右側に移動して引き上げローラ２８を垂直な状態にセットするとともに、左側の可動ローラ３５を垂直な状態にセットし、透明テープ３１を台１２から離れた位置Ｐ２に保持している。したがって、台１２に本５０をセットしやすい。図５および図６においては、ヘッド２０を左側に移動して、引き上げローラ２８を下げるとともに、可動ローラ３５を水平な状態に下げている。したがって、透明テープ３１は、台１２と同じ高さ、または低い位置に配置された左右の固定ローラ３３および３４を介してバネ３８により適度な張力で左右が引っ張られる。このため、透明テープ３１は、台１２の上に開いた状態でセットされた本５０のページ５５の紙面５１に押し付けられ、ページ５５がめくれたり、戻ったりすることを防止できる。
【００２４】
透明テープ３１は、透明でフレキシブルなフィルム（薄膜）であり、本５０のページ５５の動きを押さえるのには十分な強度と寸法とを備えていればよい。たとえば、透明テープ３１は、透明なビニール系、ポリエチレン系、フッ素系、ポリエステル系などの樹脂製で厚みが数μｍ（たとえば５μｍ、１０μｍ）から数ｍｍ（たとえば、１ｍｍ、３ｍｍ、５ｍｍ）程度の薄膜であり、幅は数ｍｍ（たとえば、５ｍｍ）から数ｃｍ（たとえば、２ｃｍ、５ｃｍ、１０ｃｍ）程度の帯状のフィルムである。
【００２５】
図５に示すように、透明テープ３１でページ５５を押さえても、透明テープ３１を介して紙面５１の内容を読み取ることができ、透明テープ３１が紙面５１にあることは本５０の内容をスキャナ６０や人間が目で見て読み取ることに障害とならない。したがって、透明テープ３１を両開きとなった左右のページ５５を左から右に横断するように配置して透明テープ３１をページ５５に押し付けることにより、読み取りの障害とならずに、ページ５５を確実に押さえることができる。
【００２６】
従来のページ押さえの機構は、ページ５５のコーナーや縁を押さえることにより紙面５１の読み取りの障害とならないようにしていた。しかしながら、本５０のサイズによりコーナーや縁の位置は変わり、また、ページ５５をめくることにより厚みが変化するので、コーナーや縁の位置は動的に変わる。このため、安定してページ５５を押さえることは大変に難しかった。
【００２７】
これに対し、透明テープ３１を用いたページ押さえ（ページ押さえ機構）３０においては、ページ押さえが透明であり、透明テープ３１の位置に関わらず読み取りの障害にならない。このため、コーナーや縁に限らず、ページ５５を横断するようにページ押さえとなる透明テープ３１を配置してページ５５が読み取り中にめくれたり、戻ったりすることを防止できる。透明テープ３１は読み取りに障害にならないので、左右のページ５５を左右に横断するように配置してもよく、左右のページ５５をそれぞれ斜めや縦（前後）に横断するように複数の透明テープ３１を配置したりすることも可能である。透明テープ３１を左右のページ５５を一括して左右に横断するように配置すると、本５０のサイズにそれほど影響を受けずに、また、ページ５５をめくることによる厚みの変化にも容易に対応できる。したがって、透明テープ３１の好適な配置の１つである。透明テープ３１は１本に限らず、複数の透明テープ３１を並列に配置したり、クロスするように配置したりしてもよい。
【００２８】
透明テープ３１は、透明テープ３１を通して本５０の紙面５１の内容が見える程度の透明さがあればよく、透明テープ３１に色がついていたりしても、読み取った後の画像処理により色の相違などは簡単に取り除くことができる。特に、紙面５１を読み取る際に、透明テープ３１が見えたとしても、その存在する場所は予めわかっているので、その部分だけを画像処理で透明テープ３１の跡を除くことにより、透明テープ３１の存在しない画像を取得することは容易である。ページめくり装置１０にセットされた本５０を直に読むときは、透明テープ３１を透かして本５０の紙面５１の内容が目に入れば、なんら障害にならない。
【００２９】
図７および図８にヘッド２０を、読み取り用の左側の位置からページめくり用の右側の位置に移動する様子を、ページめくり装置１０の前方から見た図により示している。ページめくり装置１０においては、ヘッド２０のレバー２２を昇降用モータ２３により旋回し、吸引パネル２１と一体で動く引き上げローラ２８を垂直方向に移動する。これによりヘッド２０の移動に連れて透明テープ３１は第１の位置Ｐ１から第２の位置Ｐ２に引き上げられる。一方、透明テープ引き上げローラ２８を上方に移動させると、レバー２２の反対側に取り付けられた押し付けローラ２９は下がり、透明テープ３１を第１の位置Ｐ１に保持しようとする。また、左側の可動ローラ３５は水平な状態に維持され、透明テープ３１の左側を下側に引っ張る。
【００３０】
したがって、ヘッド２０が移動機構４０により左側から右側に移動する間、左右のページ５５を横断するように配置された透明テープ３１の内、ヘッド２０が通過する部分およびその近傍の一部分のみが台１２から離れた第２の位置Ｐ２に移動し、他の部分は台１２からそれほど離れない。このため、ヘッド２０が左側から右側に移動中に、ページ５５がめくれたり、戻ったりすることを抑制できる。
【００３１】
図９に、ヘッド２０によりページ５５をめくる様子を、ページめくり装置１０の前方および上方から見た図により示している。なお、図９はページめくり装置１０の右側のみを切り出して示している。図９（ａ）および（ｂ）に示すように、レバー２２を下側（本図では反時計方向）に旋回し、薄型ファン２１ａを内蔵した吸引パネル２１を下げてページ５５の端より内側に、吸引パネル２１がページ５５に対峙（対面）するように当てる。吸引パネル２１には、複数の薄型ファン２１ａがページ５５の前後方向（縦方向）に沿ってならび、薄型ファン２１ａは、駆動されると、ページ５５を吸引するような風の流れを生成する。吸引パネル２１のページ５５に面した側には複数の短い突起が設けられており、吸引パネル２１がページ５５に面したときに吸引パネル２１とページ５５との間に隙間が形成されるようになっている。その隙間を通して薄型ファン２１ａに吸引された空気が流れて負圧が生じ、吸引パネル２１にページ５５が吸い付けられる。
【００３２】
薄型ファン２１ａをオンした後、図９（ｂ）に示すようにレバー２２を上側（本図では時計方向）に若干旋回し、吸引パネル２１をページ５５から離す。レバー２２は、吸引パネル２１を片持ち支持しており、レバー２２が上方に旋回すると、吸引パネル２１はレバー２２に支持された側と反対側がページ５５に当たるように傾く。吸引パネル２１をレバー２２に対してバネなどにより傾くようにとりつけてもよい。吸引パネル２１のこの動作により、一番上のページ５５は、吸引パネル２１により一部が押し付けられているため、吸引パネル２１の傾きに沿った状態で曲がりながら吸引パネル２１に吸引されて上方に持ち上がる。一方、その下のページは、吸引パネル２１の傾きに沿った状態で曲がりながら立ち上がろうとしても、吸引力が不足するので、紙の腰により立ち上がりにくい。このため、最も上で、吸引パネル２１により直に吸引されるページ５５のみが立ち上がり、下のページと分離される。
【００３３】
次に、図９（ｄ）および（ｅ）に示すように、ページ５５が吸引パネル２１により吸引されるまではページ５５と干渉しない位置に収納されていたロッド２５が、回転モータ２６により吸引パネル２１の下側に旋回されて突出する。したがって、搬送用のロッド２５は、吸引パネル２１により立ち上げられたページ５５の下側に入り、搬送すべきページ５５と、搬送すべきでない下側のページとを分離する。この後、薄型ファン２１ａを停止する。
【００３４】
図１０から図１２に、ページめくり装置１０において、ヘッド２０に搭載されたロッド２５により分離されたページ５５を、右側から左側へ搬送する様子を前方から見た図により示している。ヘッド２０は移動機構４０により右側から左側に移動し、搬送体であるロッド２５は、ヘッド２０を移動手段（移動装置）としてヘッド２０とともに右側から左側に移動することによりページ５５を右側から左側に搬送する。ロッド２５は、分離されたページ５５の下側に潜り込まされた状態で、透明テープ３１よりも台１２、すなわち本５０に近い位置を移動する。したがって、ロッド２５に搬送されるページ５５は、透明テープ３１の下側を動き、ページ５５の一部が透明テープ３１に接した状態で搬送される。このため、ロッド２５に搬送されるページ５５に引きずられて、下側のページが搬送されようとしても、下側のページが透明テープ３１に接触し、透明テープ３１との間で抵抗が発生する。ロッド２５により搬送されるページ５５は、透明テープ３１と接触してもロッド２５により十分な力が加わるので右側から左側に搬送されるが、引きずられるページは透明テープ３１の抵抗により右側から左側に搬送されにくく、ページの重ねめくり（重送）を防止できる。
【００３５】
搬送されるページ５５は、常に透明テープ３１に接触している必要はなく、少なくとも重ねめくりが起きやすい状態のときに一部が透明テープ３１に接触していることが望ましい。たとえば、搬送を開始した直後で、ページ５５の先端が前の側に残っているような状態のときである。一方、透明テープ３１がページ５５を押さえこんでいる状態であると、搬送するときに抵抗が大きくなり、ヘッド２０の駆動力が不足したり、本５０を痛めたり、透明テープ３１を痛めたりする要因となる。このため、ページ５５を搬送するとき、あるいは搬送する部分は、透明テープ３１を台１２、すなわち本５０から少し離れた位置Ｐ２に移動することが望ましい。一方、透明テープ３１を台１２から離しすぎると、搬送途中のページ５５が透明テープ３１に接触しなくなるので重ね送りを防止する効果が得られにくい。
【００３６】
したがって、透明テープ３１は、ページ５５の搬送中は、台１２から本５０のページ５５の幅Ｗの１／４から３／４程度離れた位置Ｐ２に移動することが望ましい。第２の位置Ｐ２は、台１２からページ５５の幅Ｗの１／３から２／３程度離れた位置であってもよく、ページ５５の幅Ｗの１／２程度離れた位置であってもよい。また、ロッド２５は、透明テープ３１と重なるように移動してもよく、透明テープ３１から縦方向に離れた位置を移動してもよい。
【００３７】
さらに、このページめくり装置１０においては、搬送用のロッド２５の移動装置を兼ねるヘッド２０が透明テープ３１の距離を変える上下装置２７を含む。ページ５５を横断するように配置された透明テープ３１のうち、ロッド２５が移動する部分は、上下装置２７の引き上げローラ２８により透明テープ３１が台１２（本５０）に対して離れた第２の位置Ｐ２に引き上げられ、ロッド２５でページ５５を搬送する際の抵抗が削減される。一方、ロッド２５が通過した後は、上下装置２７の押し付けローラ２９により透明テープ３１は台１２（本５０）に近い第１の位置Ｐ１に押し付けられ、ページ５５を押さえる。
【００３８】
したがって、ページ５５が重ね送りされることを抑制できる。また、図１２に示すように、めくられたページ５５を透明テープ３１で押さえることにより、めくられたページ５５がもとに戻ることも抑制できる。このため、各ページ５５の腰が強くページ５５をめくりにくい新しい本５０であっても、安定してページ５５を自動的にめくることができる。
【００３９】
図１３に、制御ボード４５に搭載されたＣＰＵがページめくり装置１０の各機構（機能）を制御してめくり動作を行う各工程をフローチャートで示している。これらの動作（制御方法）は、制御ボード４５に搭載されたＣＰＵおよびメモリ（不図示）などのコンピュータ資源を制御するプログラム（プログラム製品）としてメモリなどの記録媒体に記録して提供できる。
【００４０】
ステップ７１において、ヘッド２０を右側に移動して透明テープ３１を上方の第２の位置Ｐ２に上げて本５０を台１２の上にページ５５が開いた状態でセットする。ステップ７２において、ヘッド２０を左側へ移動し、透明テープ３１を第１の位置Ｐ１に下げて、透明テープ３１がページ５５を横断する状態で押さえて、ステップ７３においてスキャナ６０により読み取る。ステップ７４で次のページ５５をめくる必要があれば、ステップ７５においてヘッド２０を右側に移動する。ステップ７６において、吸引パネル２１により次のページ５５を分離し、ステップ７７において搬送用のロッド２５を分離されたページ５５の下側にセットする。
【００４１】
ステップ７８において、移動装置４０により搬送用のロッド２５が透明テープ３１の下側に位置するようにヘッド２０を左側へ移動する。具体的には、ヘッド２０に搭載された上下装置２７により透明テープ３１を第１の位置Ｐ１から第２の位置Ｐ２に上げて、その下をロッド２５によりページ５５を搬送させながら移動し、その後、透明テープ３１を第２の位置Ｐ２から第１の位置Ｐ１に下げて、ページの重ね送りを防止する。ページ送りが終了すると、ステップ７２に戻って、ヘッド２０が左側に移動した段階で透明テープ３１を全体的に第１の位置Ｐ１に下げて左右のページ５５を透明テープ３１で押さえてページ５５の紙面５１を読み取れるようにする。
【００４２】
図１４および図１５に、このページめくり装置１０に異なるサイズの本５０をセットした状態を示している。たとえば、上記に示した例は、Ａ４版の本５０をページめくり装置１０にセットしているのに対し、これらの図では、Ｂ６版の小型の本５０をセットしている。透明テープ３１は、ページめくり装置１０の左側の端から右側の端まで、ページめくり装置１０にセットされる本５０のサイズに関わらず、本５０を横断するように配置されている。透明テープ３１はどのサイズの本５０であっても紙面５１の内容を隠すことはなく、読み取ることができる。このため、ページめくり装置１０は、内部にセットできるサイズの本であれば、サイズに関わらず透明テープ３１によりページ５５を押さえて安定して読み取ることができる。また、本５０のサイズに関わりなく、吸引パネル２１によりページ５５をめくり、透明テープ３１に接触させながら搬送することにより重ね送りを防止したり、めくったページ５５が元に戻るような事態を未然に防止できる。
【００４３】
図１６ないし図１８に、ページめくり装置の異なる例を示している。このページめくり装置１０ａは、簡易な機構で、文庫本などの小型の本を自動めくりすることに適している。ページめくり装置１０ａは、本５０を開いた状態で設置する台１２と、透明な帯状のフレキシブルフィルム（透明テープ）３１を備えたページ押さえ３０と、ページめくりとページ送りの機能を備えたヘッド８０と、透明テープ３１を上下に動かす上下機構９０とを含む。透明テープ３１は、本５０の左右のページ５５を左右に横断するように配置されている。
【００４４】
ヘッド８０は、自己粘着性のピックアップ８１と、ページ５５を搬送する搬送板８２と、ヘッド８０を台１２に沿って左右に移動する移動機構８５と、レバー９１を介して上下機構９０を動かす駆動機構８６と、制御ユニット（不図示）とを含み、ページめくり装置１０ａの電装部品は全てヘッド８０に集中している構成となっている。したがって、ページめくり装置１０ａの他の部分は、木や樹脂といった部材で簡単に構成でき、ユーザーに組み立てキットのような状態で提供することも可能である。
【００４５】
図１６および図１７は、透明テープ３１を上下機構９０で下側（第１の位置）Ｐ１に下して左右のページ５５を透明テープ３１で押さえている。透明テープ３１は本５０を読み込むのに邪魔にならない。したがって、透明テープ３１を、たとえば、ページ５５の中央を左右に横断するように配置することができ、効率よくページ５５を押さえ、ページ５５が動くのを防止できる。
【００４６】
図１８は、透明テープ３１を上下機構９０で上側（第２の位置）Ｐ２に上げて、ヘッド８０および搬送板８２を左側から右側へ動かして、ページ５５を搬送する（めくる）様子を前方から見た図で示している。搬送板８２は、透明テープ３１の下側を移動し、搬送板８２により搬送されるページ５５も透明テープ３１の下側を移動する。多くの場合、搬送されるページ５５の一部は透明テープ３１と接触し、搬送中に適度な抵抗が得られる。搬送されるページ５５に密着した状態で次のページ５５が動く場合は、透明テープ３１との接触による抵抗が障害となり、重ね送りされることを防止できる。また、送り終わったページ５５が搬送板８２から外れて戻ろうとする場合も、透明テープ３１との接触が抵抗となり、ページ５５が戻ることを防止できる。
【００４７】
上記において説明したページめくり装置１０および１０ａは、透明でフレキシブルなフィルム（透明テープ）３１を、透明なページ押さえとして使用した装置のいくつかの例であり、透明なフレキシブルフィルム３１と、搬送用のロッド２５または搬送板８２などの搬送体とを備えたページめくり装置であれば良いことは上述した通りである。たとえば、上記のページめくり装置１０および１０ａは、ページを分離する機能を備えたヘッド２０または８０が搬送用のロッド２５または搬送板８２を搭載し、ヘッド２０または８０が搬送用のロッド２５または搬送板８２の移動装置としての機能を兼ねている。これに対し、ページを分離する機能と、搬送用の機能とを分けて、搬送用のロッド２５または搬送板８２を左右に動かす専用の移動装置を設けてもよい。
【００４８】
また、透明なフレキシブルフィルムのもっとも簡単な形状は直線的な帯状の透明テープであるが、帯の幅がかわるように湾曲していたり、波打っていたり、途中に、リボンや、蝶などの形状がアレンジされていたり、本５０から外れた位置に広告宣伝などが記載されていたりしてもよい。これらの透明なフレキシブルフィルム３１と搬送体との組み合わせにより、ページ５５を確実に分離してめくることができ、また、めくった後は透明テープ３１で、ページ５５の記載個所（紙面）に関わらず、ページ５５を確実に押さえて読み込むことができることは上述した通りである。
【符号の説明】
【００４９】
１  冊子読み取り装置、  １０、１０ａ  ページめくり装置
２０、８０  ヘッド、  ２５  搬送用ロッド、  ８２  搬送板
３１  透明なフレキシブルフィルム（透明テープ）
５０  本（冊子）、  ５１  紙面、  ５５  ページ
【図１】
2017011647.tif 000003
【図２】
2017011647.tif 000004
【図３】
2017011647.tif 000005
【図４】
2017011647.tif 000006
【図５】
2017011647.tif 000007
【図６】
2017011647.tif 000008
【図７】
2017011647.tif 000009
【図８】
2017011647.tif 000010
【図９】
2017011647.tif 000011
【図１０】
2017011647.tif 000012
【図１１】
2017011647.tif 000013
【図１２】
2017011647.tif 000014
【図１３】
2017011647.tif 000015
【図１４】
2017011647.tif 000016
【図１５】
2017011647.tif 000017
【図１６】
2017011647.tif 000018
【図１７】
2017011647.tif 000019
【図１８】
2017011647.tif 000020